【手続補正書】
【提出日】平成26年9月26日(2014.9.26)
【手続補正１】
【補正対象書類名】特許請求の範囲
【補正対象項目名】全文
【補正方法】変更
【補正の内容】
【特許請求の範囲】
【請求項１】
第１の装置と、前記第１の装置と通信する、遊技機とともに設置されて使用される遊技用処理装置と、前記第１の装置と通信する第２の装置と、を備える管理システムであって、
前記遊技用処理装置は、前記遊技用処理装置の動作を制御する第１の集積回路及び前記第１の集積回路と通信可能な第２の集積回路を備え、
前記第１の集積回路は、自身の識別情報を記憶し、
前記第１の集積回路と前記第２の集積回路とは、それぞれが記憶する第１の暗号鍵によって暗号通信を行い、
前記第１の装置は、第１の集積回路の識別情報を照合用情報として記憶する第１の記憶手段を備え、
前記第２の装置は、新たに製造された遊技用処理装置の第１の集積回路の識別情報を照合用情報として、第２の暗号鍵とともに記憶する第２の記憶手段を備え、
前記第１の集積回路は、自身の識別情報を前記第１の装置に送信し、
前記第１の装置は、前記第１の集積回路から送信された識別情報と同じ第１の集積回路を示す照合用情報が前記第１の記憶手段に記憶されていない場合に、前記第１の集積回路から送信された識別情報を前記第２の装置に送信し、
前記第２の装置は、前記第２の記憶手段に記憶している照合用情報と前記第１の装置から送信された識別情報とを照合し、照合用情報と識別情報とが同じ第１の集積回路を示す場合に、当該照合用情報に対応する第２の暗号鍵を前記第１の装置に送信し、
前記第１の装置は、第２の暗号鍵を前記第１の集積回路に送信し、
前記第１の集積回路は、第２の暗号鍵を前記第２の集積回路との暗号通信に使用する暗号鍵として記憶するとともに、第２の暗号鍵を前記第２の集積回路に送信し、
前記第２の集積回路は、前記第１の集積回路から送信された前記第２の暗号鍵を前記第１の集積回路との暗号通信に使用する暗号鍵として記憶し、
前記第１の集積回路及び前記第２の集積回路は、第２の暗号鍵を記憶したあとも、第１の暗号鍵を記憶しておく、
ことを特徴とする照合システム。
【請求項２】
第２の装置と通信する第１の装置と通信を行う、遊技機とともに設置されて使用される遊技用処理装置であって、
当該遊技用処理装置の動作を制御する第１の集積回路及び前記第１の集積回路と通信可能な第２の集積回路を備え、
前記第１の集積回路は、自身の識別情報を記憶し、
前記第１の集積回路と前記第２の集積回路とは、それぞれが記憶する第１の暗号鍵によって暗号通信を行い、
前記第１の集積回路は、自身の識別情報を送信し、送信した識別情報が当該第１の集積回路の認証を行う前記第２の装置に前記第１の装置を介して送信されて前記第２の装置による識別情報に基づく当該第１の集積回路の認証が成功したときに前記第２の装置から前記第１の装置を介して送信されてくる第２の暗号鍵を受信し、受信した第２の暗号鍵を前記第２の集積回路との暗号通信に使用する暗号鍵として記憶するとともに、第２の暗号鍵を前記第２の集積回路に送信し、
前記第２の集積回路は、前記第１の集積回路から送信された前記第２の暗号鍵を前記第１の集積回路との暗号通信に使用する暗号鍵として記憶し、
前記第１の集積回路及び前記第２の集積回路は、第２の暗号鍵を記憶したあとも、第１の暗号鍵を記憶しておく、
ことを特徴とする遊技用処理装置。
【請求項３】
遊技機とともに設置されて使用される遊技用処理装置に搭載され、他の集積回路と、第２の装置と通信する第１の装置と、通信を行う遊技用集積回路であって、
自身の識別情報及び第１の暗号鍵を記憶する記憶手段と、
前記他の集積回路と、前記記憶手段が記憶する前記第１の暗号鍵によって、暗号通信を行う暗号通信手段と、
前記記憶手段が記憶する自身の識別情報を送信する送信手段と、
前記送信手段が送信した識別情報が当該遊技用集積回路の認証を行う前記第２の装置に前記第１の装置を介して送信されて前記第２の装置による識別情報に基づく当該第１の集積回路の認証が成功したときに前記第２の装置から前記第１の装置を介して送信されてくる第２の暗号鍵を受信する受信手段と、を備え、
前記記憶手段は、前記受信手段が受信した第２の暗号鍵を前記暗号通信手段が前記他の集積回路との暗号通信に使用する暗号鍵として記憶し、
前記遊技用集積回路は、前記第２の暗号鍵を当該遊技用集積回路との暗号通信に使用する暗号鍵として前記他の集積回路に送信する送信手段を備え、
前記記憶手段は、第２の暗号鍵を記憶したあとも、第１の暗号鍵を記憶しておく、
ことを特徴とする遊技用集積回路。
【手続補正２】
【補正対象書類名】明細書
【補正対象項目名】発明の名称
【補正方法】変更
【補正の内容】
【発明の名称】照合システム、遊技用処理装置、及び、遊技用集積回路
【手続補正３】
【補正対象書類名】明細書
【補正対象項目名】０００１
【補正方法】変更
【補正の内容】
【０００１】
本発明は、遊技用処理装置に搭載される集積回路についての照合システム、遊技用処理装置、及び、遊技用集積回路に関する。
【手続補正４】
【補正対象書類名】明細書
【補正対象項目名】０００８
【補正方法】変更
【補正の内容】
【０００８】
本発明は、このような背景のもとになされたものであり、その目的とするところは、例えば遊技用処理装置の新規の設置又は交換があったとしても集積回路のすり替えを適切に検出できるなどする照合システムを提供することにある。また、本発明は、例えば以前に使用していた暗号鍵を使用可能な照合システム、遊技用処理装置、及び、遊技用集積回路を提供することを目的とする。
【手続補正５】
【補正対象書類名】明細書
【補正対象項目名】０００９
【補正方法】変更
【補正の内容】
【０００９】
（１）上記目的を達成するため、本発明の照合システムは、
第１の装置（例えば、上位サーバ５１０）と、前記第１の装置と通信する、遊技機（例えば、パチンコ機１０）とともに設置されて使用される遊技用処理装置（例えば、カードユニット２０）と、前記第１の装置と通信する第２の装置（例えば、鍵管理センターサーバ３１０）と、を備える管理システムであって、
前記遊技用処理装置は、前記遊技用処理装置の動作を制御する第１の集積回路（例えば、主制御部２１）及び前記第１の集積回路と通信可能な第２の集積回路（例えば、通信制御ＩＣ２３）を備え、
前記第１の集積回路は、自身の識別情報（例えば、ユニットシリアルＩＤ）を記憶し、
前記第１の集積回路と前記第２の集積回路とは、それぞれが記憶する第１の暗号鍵（例えば、仮認証鍵）によって暗号通信を行い（例えば、処理部２１ａと処理部２３ａとは、仮認証鍵を用いた暗号通信を行う）、
前記第１の装置は、第１の集積回路の識別情報を照合用情報（例えば、本情報に含まれる識別情報、図２７の上位サーバ５１０参照）として記憶する第１の記憶手段（例えば、記憶部５１２）を備え、
前記第２の装置は、新たに製造された遊技用処理装置の第１の集積回路の識別情報を前記照合用情報（例えば、本情報に含まれる識別情報、図２７の鍵管理センターサーバ３１０参照）として、第２の暗号鍵（例えば、本情報に含まれる本認証鍵など、図２７の鍵管理センターサーバ３１０参照）とともに記憶する第２の記憶手段（例えば、記憶部３１２）を備え、
前記第１の集積回路は、自身の識別情報を前記第１の装置に送信し（例えば、ステップＨ１におけるユニットシリアルＩＤの送信）、
前記第１の装置は、前記第１の集積回路から送信された識別情報と同じ第１の集積回路を示す照合用情報が前記第１の記憶手段に記憶されていない場合に、前記第１の集積回路から送信された識別情報を前記第２の装置に送信し（例えば、ステップＨ２におけるユニットシリアルＩＤの送信）、
前記第２の装置は、前記第２の記憶手段に記憶している照合用情報と前記第１の装置から送信された識別情報とを照合し（例えば、ステップＨ３の後に行うユニットシリアルＩＤを含む仮情報の検索）、照合用情報と識別情報とが同じ第１の集積回路を示す場合に、当該照合用情報に対応する第２の暗号鍵を前記第１の装置に送信し（例えば、ステップＨ４の本情報の送信）、
前記第１の装置は、第２の暗号鍵を前記第１の集積回路に送信し（例えば、ステップＨ４のあとのステップＤ５の処理）、
前記第１の集積回路は、第２の暗号鍵を前記第２の集積回路との暗号通信に使用する暗号鍵として記憶するとともに、第２の暗号鍵を前記第２の集積回路に送信し（例えば、ステップＤ６において本情報を第１記憶領域に記憶し、ステップＤ８において本情報を通信制御ＩＣ２３に送信する）、
前記第２の集積回路は、前記第１の集積回路から送信された前記第２の暗号鍵を前記第１の集積回路との暗号通信に使用する暗号鍵として記憶し（例えば、通信制御ＩＣ２３は、ステップＤ８で本情報を第１記憶領域に記憶する）、
前記第１の集積回路及び前記第２の集積回路は、第２の暗号鍵を記憶したあとも、第１の暗号鍵を記憶しておく（例えば、主制御部２１及び通信制御ＩＣ２３は、仮認証鍵を第２記憶領域に記憶する、図２１を参照）、
ことを特徴とする。
（２）上記目的を達成するため、本発明の遊技用処理装置は、
第２の装置（例えば、鍵管理センターサーバ３１０）と通信する第１の装置（例えば、上位サーバ５１０）と通信を行う、遊技機（例えば、パチンコ機１０）とともに設置されて使用される遊技用処理装置（例えば、カードユニット２０）であって、
当該遊技用処理装置の動作を制御する第１の集積回路（例えば、主制御部２１）及び前記第１の集積回路と通信可能な第２の集積回路（例えば、通信制御ＩＣ２３）を備え、
前記第１の集積回路は、自身の識別情報（例えば、ユニットシリアルＩＤ）を記憶し、
前記第１の集積回路と前記第２の集積回路とは、それぞれが記憶する第１の暗号鍵（例えば、仮認証鍵）によって暗号通信を行い（例えば、処理部２１ａと処理部２３ａとは、仮認証鍵を用いた暗号通信を行う）、
前記第１の集積回路は、自身の識別情報を送信し（例えば、ステップＤ１におけるユニットシリアルＩＤの送信）、送信した識別情報が当該第１の集積回路の認証を行う前記第２の装置に前記第１の装置を介して送信されて前記第２の装置による識別情報に基づく当該第１の集積回路の認証が成功したときに前記第２の装置から前記第１の装置を介して送信されてくる第２の暗号鍵（例えば、本認証鍵）を受信し、受信した第２の暗号鍵を前記第２の集積回路との暗号通信に使用する暗号鍵として記憶するとともに、第２の暗号鍵を前記第２の集積回路に送信し（例えば、ステップＤ６において本認証鍵を含む本情報を第１記憶領域に記憶し、ステップＤ８において本情報を通信制御ＩＣ２３に送信する）、
前記第２の集積回路は、前記第１の集積回路から送信された前記第２の暗号鍵を前記第１の集積回路との暗号通信に使用する暗号鍵として記憶し（例えば、通信制御ＩＣ２３は、ステップＤ８で本情報を第１記憶領域に記憶する）、
前記第１の集積回路及び前記第２の集積回路は、第２の暗号鍵を記憶したあとも、第１の暗号鍵を記憶しておく（例えば、主制御部２１及び通信制御ＩＣ２３は、仮認証鍵を第２記憶領域に記憶する、図２１を参照）、
ことを特徴とする。
（３）上記目的を達成するため、本発明の遊技用集積回路は、
遊技機（例えば、パチンコ機１０）とともに設置されて使用される遊技用処理装置（例えば、カードユニット２０）に搭載され、他の集積回路（例えば、通信制御ＩＣ２３）と、第２の装置（例えば、鍵管理センターサーバ３１０）と通信する第１の装置（例えば、上位サーバ５１０）と、通信を行う遊技用集積回路（例えば、主制御部２１）であって、
自身の識別情報（例えば、ユニットシリアルＩＤ）及び第１の暗号鍵（例えば、仮認証鍵）を記憶する記憶手段と、
前記他の集積回路と、前記記憶手段が記憶する前記第１の暗号鍵によって、暗号通信を行う暗号通信手段（例えば、通信制御ＩＣ２３と仮認証鍵を用いた暗号通信を行う処理部２１ａ）と、
前記記憶手段が記憶する自身の識別情報を送信する送信手段（例えば、ステップＤ１でユニットシリアルＩＤの送信を行う処理部２１ａ）と、
前記送信手段が送信した識別情報が当該遊技用集積回路の認証を行う前記第２の装置に前記第１の装置を介して送信されて前記第２の装置による識別情報に基づく当該第１の集積回路の認証が成功したときに前記第２の装置から前記第１の装置を介して送信されてくる第２の暗号鍵（例えば、本認証鍵）を受信する受信手段（例えば、ステップＤ５において本認証鍵を含む本情報を受け取る処理部２１ａ）と、を備え、
前記記憶手段は、前記受信手段が受信した第２の暗号鍵を前記暗号通信手段が前記他の集積回路との暗号通信に使用する暗号鍵として記憶し（例えば、ステップＤ６において本情報を第１記憶領域に記憶する）、
前記遊技用集積回路は、前記第２の暗号鍵を当該遊技用集積回路との暗号通信に使用する暗号鍵として前記他の集積回路に送信する送信手段（例えば、ステップＤ８において本情報を通信制御ＩＣ２３に送信する処理部２１ａ）を備え、
前記記憶手段は、第２の暗号鍵を記憶したあとも、第１の暗号鍵を記憶しておく（例えば、主制御部２１及び通信制御ＩＣ２３は、仮認証鍵を第２記憶領域に記憶する、図２１を参照）、
ことを特徴とする。
【手続補正６】
【補正対象書類名】明細書
【補正対象項目名】００１０
【補正方法】変更
【補正の内容】
【００１０】
上記（１）の構成によれば、第１の装置において、集積回路から送信された識別情報と一致する照合用情報が第１の記憶手段に記録されていない場合、第２の装置の照合用情報と識別情報が照合される。そして、遊技用処理装置が正規で新しい場合（新規の設置又は交換されている場合）、ここでの照合結果で識別情報と照合用情報とが同じ集積回路を識別するものになる。これによって、遊技用処理装置の新規の設置又は交換があったとしても、適切な照合が行われる。これによって、集積回路のすり替えの誤検出が抑制され、集積回路のすり替えを適切に検出できる。また、上記（１）〜（３）の構成によれば、第２の暗号鍵が記憶されても、以前に使用していた第１の暗号鍵も残されることになるので、例えば、その後に第１の暗号鍵での暗号通信も可能になる。
【手続補正７】
【補正対象書類名】明細書
【補正対象項目名】００１１
【補正方法】変更
【補正の内容】
【００１１】
（４）また、参考例に係る管理装置は、例えば、前記照合システムの第１の装置として使用されるものであり、
遊技用装置（例えば、カードユニット２０）と照合装置（例えば、鍵管理センターサーバ３１０）とにそれぞれ通信可能に接続された管理装置（例えば、上位サーバ５１０）であって、
前記遊技用装置は、前記遊技用装置の動作を制御する集積回路（例えば、主制御部２１）を備え、
前記集積回路は、自身を識別する識別情報（例えば、ユニットシリアルＩＤ）を記憶し、
前記照合装置は、新たに製造された遊技用装置の集積回路の識別情報を照合用情報（例えば、本情報に含まれる識別情報）として記憶する第１の記憶手段を備え、
前記管理装置は、
集積回路から送信された前記識別情報を受信する受信手段（例えば、ステップＨ１の後にユニットシリアルＩＤを受け取る制御部５１１）と、
集積回路の識別情報を照合用情報として記憶する第２の記憶手段（例えば、ステップＨ１の後にユニットシリアルＩＤを記憶する制御部５１１）と、
前記受信手段で受信した前記識別情報と同じ集積回路を示す照合用情報が前記第２の記憶手段に記録されていない場合に、前記識別情報を前記照合装置に送信する送信手段（ステップＨ２におけるユニットシリアルＩＤの送信）と、
前記照合装置による、前記送信手段で送信した前記識別情報と前記第１の記憶手段に記録された照合用情報との照合の照合結果を前記照合装置から受信する受信手段（ステップＨ４における本情報の受信）と、
を備える。
【手続補正８】
【補正対象書類名】明細書
【補正対象項目名】００１３
【補正方法】変更
【補正の内容】
【００１３】
（５）また、上記（１）の照合システムにおいて、
前記第１の装置は、前記第１の集積回路から送信された前記識別情報と一致する照合用情報が前記第１の記憶手段に記録されている場合に、その旨に応じた処理（例えば、ステップＥ２における本情報の送信）を行ってもよい。
【手続補正９】
【補正対象書類名】明細書
【補正対象項目名】００１４
【補正方法】変更
【補正の内容】
【００１４】
このような構成によって、遊技用処理装置の新規の設置や交換がない通常時においては、第１の装置において照合が行われるので、第１の集積回路のすり替えの検出における第２の装置の処理負担が軽減される。
【手続補正１０】
【補正対象書類名】明細書
【補正対象項目名】００１５
【補正方法】変更
【補正の内容】
【００１５】
（６）また、上記（１）又は（５）の照合システムにおいて、
前記第１の装置は、前記第１の集積回路から送信された前記識別情報と一致する照合用情報が前記第１の記憶手段に記録されていない場合で、かつ、前記第２の装置から通知された照合結果が、前記照合用情報と前記識別情報とが同じ第１の集積回路であることを示している場合、前記識別情報を前記照合用情報として前記第１の記憶手段に記録してもよい（例えば、ステップＨ４で本情報を格納する処理）。
【手続補正１１】
【補正対象書類名】明細書
【補正対象項目名】００１６
【補正方法】変更
【補正の内容】
【００１６】
これによって、遊技用処理装置の設置後は、第１の装置において認証が行われるので、第２の装置の処理負担が軽減される。
【手続補正１２】
【補正対象書類名】明細書
【補正対象項目名】００１７
【補正方法】変更
【補正の内容】
【００１７】
（７）また、参考例に係るプログラムは、例えば、前記照合システムの第１の装置のコンピュータに処理を実行させるものであり、
遊技用装置（例えば、カードユニット２０）と照合装置（例えば、鍵管理センターサーバ３１０）とにそれぞれ通信可能に接続されたコンピュータ（例えば、上位サーバ５１０）に所定の処理を実行させるプログラムであって、
前記遊技用装置は、前記遊技用装置の動作を制御する集積回路（例えば、主制御部２１）を備え、
前記集積回路は、自身を識別する識別情報（例えば、ユニットシリアルＩＤ、）を記憶し、
前記照合装置は、新たに製造された遊技用装置の集積回路の識別情報を照合用情報（例えば、本情報に含まれる識別情報）として記憶する第１の記憶手段を備え、
前記コンピュータを、
集積回路から送信された前記識別情報を受信する受信手段（例えば、ステップＨ１の後にユニットシリアルＩＤを受け取る制御部５１１）と、
集積回路の識別情報を照合用情報として記憶する第２の記憶手段（例えば、ステップＨ１の後にユニットシリアルＩＤを記憶する制御部５１１）と、
前記受信手段で受信した前記識別情報と同じ集積回路を示す照合用情報が前記第２の記憶手段に記録されていない場合に、前記識別情報を前記照合装置に送信する送信手段（ステップＨ２におけるユニットシリアルＩＤの送信）と、
前記照合装置による、前記送信手段で送信した前記識別情報と前記第１の記憶手段に記録された照合用情報との照合の照合結果を前記照合装置から受信する受信手段（ステップＨ４における本情報の受信）と、
として機能させるプログラムである。